(57)【要約】【課題】低外気温度で室内負荷の大きい冷房運転時や高外気温度で室内負荷の大きい暖房運転時に、いつまでも希望する設定温度に到達しないことに応じた空気調和が出来なかった。【解決手段】能力可変型圧縮機１を有する室外機２と、室外機２内に設けた上限周波数設定手段３と、室内機６からの運転信号を受け、上限周波数設定手段３で設定された上限周波数で能力可変型圧縮機１へ送信信号を送信する制御部４と、通信線５で接続された室内機６と、室内機６を操作するリモコン7とを備え、室外機２内に設けられた上限周波数設定手段３で上限周波数が設定されると、リモコン7から過度な運転操作をされても室外機２の制御部４が、上限周波数設定手段３から設定された上限周波数までの運転しかしないので、能力可変型圧縮機１の運転周波数を低下することで省エネとなる。【選択図】図１
2011185556.tif 000002
【特許請求の範囲】
【請求項１】
能力可変型圧縮機を有する室外機と、室外機の制御部に能力可変型圧縮機の周波数の上限値を設定する上限周波数設定手段と、室内機と室外機とを接続する通信線とを備え、室外機から、能力可変圧縮機の周波数の上限値を設定することを特徴とする空気調和機の室外機。
【請求項２】
空気調和機の室外機に、上限周波数設定中であることを知らせる表示手段を備えたことを特徴とする請求項１に記載の空気調和機の室外機。
【発明の詳細な説明】
【技術分野】
【０００１】
本発明は、遠隔制御装置から空気調和機の能力可変圧縮機の周波数の上限値を設定し、省エネ効果を得る空気調和機の遠隔制御装置に関するものである。
【背景技術】
【０００２】
従来、この種の空気調和機は、通常モードと省エネモードを切り替えＳＷで選択し、省エネモードの時に、外気温度と一義的に決められた基準外気温度とを入力とし、これらの偏差から設定温度を決定している（例えば、特許文献１参照）。
【０００３】
図３は特許文献１に記載された従来のフローチャートを示すものである。図３に示すように、省エネモード判定手段１０１と、温度設定手段１０２と、外気温度入力手段１０３と、運転モード判定手段１０４と、一義的に定められた外気温度と現在の外気温度を比較する冷房時比較手段１０６、暖房時比較手段１１０と、外気温度より一義的に外気温度−５Ｋと定める冷房時温度設定手段１０５、外気温度＋５Ｋと定める暖房時温度設定手段１０９と、冷房時比較手段１０６で一義的に定められた外気温度より高いと判断した時温度設定を決定する手段１０８と、暖房時比較手段１１０で一義的に定められた外気温度より低いと判断した時温度設定を決定する手段１１１と、設定温度に応じた圧縮機制御１１３とから構成されている。
【先行技術文献】
【特許文献】
【０００４】
【特許文献１】特開平６−７４５１９号公報
【発明の概要】
【発明が解決しようとする課題】
【０００５】
しかしながら、前記従来の構成では、一義的に定められた外気温度しきい値より現在の外気温度状態から設定温度を決定していることから、低外気温度で室内負荷の大きい冷房運転時や高外気温度で室内負荷の大きい暖房運転時に、いつまでも希望する設定温度に到達しない、また、要求負荷に応じた空気調和が出来ないという課題を有していた。
【０００６】
本発明は、前記従来の課題を解決するもので、ユーザーが室外機能力可変圧縮機の周波数の上限値を設定することができ、過度な設定がされたときでも能力可変圧縮機の周波数の上限値を越えることなく設定に応じた空気調和が行え、省エネ効果をもたらす空気調和機を提供することを目的とする。
【課題を解決するための手段】
【０００７】
前記従来の課題を解決するために、本発明の空気調和機は、能力可変型圧縮機を有する室外機と、室外機に設けられた上限周波数設定手段から、能力可変圧縮機の周波数の上限値を設定することで省エネ運転を行うことを特徴としたものである。
【０００８】
これによって、上限周波数設定時に、過度な設定がされたときでも、設定された上限周波数までの運転しかしないので、能力可変型圧縮機運転周波数を低下することで省エネ効果をもたらしたものである。
【０００９】
また、本発明の空気調和機は、能力可変圧縮機の周波数の上限値を設定したときに、表示することができ、能力可変設定中であることを知らせることとしたものである。
【発明の効果】
【００１０】
本発明の空気調和機は、上限周波数設定時に、過度な設定にされても上限周波数までの運転しかしないので、能力可変型圧縮機運転周波数を低下することで省エネ効果をもたらすことができる。
【図面の簡単な説明】
【００１１】
【図１】本発明の実施の形態１における空気調和機の構成ブロック図
【図２】本発明の実施の形態２における空気調和機の構成ブロック図
【図３】従来の空気調和機のフローチャート
【発明を実施するための形態】
【００１２】
第１の発明は、能力可変型圧縮機を有する室外機と、室外機内に設けられた上限周波数設定手段と、室内機からの運転信号を受け、上限周波数設定手段で設定された上限周波数で能力可変型圧縮機へ送信信号を送信する制御部と、室内機と室外機とを接続する通信線とから構成される空気調和機とすることにより、ユーザーが上限周波数設定手段により設定した上限周波数までの運転しかしないので、過度な設定にされても上限周波数までの運転しかしないので、能力可変型圧縮機運転周波数を低下することで省エネ効果をもたらすことができる。
【００１３】
第２の発明は、特に第１の発明の上限周波数設定手段を有する室外機に、上限周波数設定中であることを表示することができる、表示手段を備えたことにより、上限周波数を設定したことを知らせる事ができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機の構成ブロック図を示すものである。
【００１６】
図１において、能力可変型圧縮機１を有する室外機２と、室外機２内に設けた上限周波数設定手段３と、室内機６からの運転信号を受け、上限周波数設定手段３で設定された上限周波数で能力可変型圧縮機１へ送信信号を送信する制御部４と、通信線５で接続された室内機６と、室内機６を操作するリモコン7とから構成されている。
【００１７】
以上のように構成された空気調和機について、以下その動作、作用を説明する。
【００１８】
まず空気調和機の室外機２内に設けられた上限周波数設定手段３で上限周波数が設定されると、制御部４に上限周波数が記憶され、リモコン７から室内機６を操作すると、室内機２から通信線３を介して、室外機２内の制御部４に運転信号が送信され、制御部４から、能力可変型圧縮機１を運転する。
【００１９】
以上のように本実施の形態においては、室外機２内に設けられた上限周波数設定手段３で上限周波数が設定されると、リモコン7から過度な運転操作をされても室外機２の制御部４が、上限周波数設定手段３から設定された上限周波数までの運転しかしないので、能力可変型圧縮機１の運転周波数を低下することで省エネ効果をもたらすことができる。
【００２０】
（実施の形態２）
図２は、本発明の第２の実施の形態の空気調和機の構成ブロック図である。
【００２１】
図２において、能力可変型圧縮機１を有する室外機２と、室外機２内に設けた上限周波数設定手段３と、上限周波数設定手段３から上限設定周波数が設定されると、設定されたことを表示する表示手段８と、室内機６からの運転信号を受け、上限周波数設定手段３で設定された上限周波数で能力可変型圧縮機１へ送信信号を送信する制御部４と、通信線５で接続された室内機６と、室内機６を操作するリモコン7とから備えたリモコン７とから構成されている。
【００２２】
以上のように構成された空気調和機について、以下その動作、作用を説明する。
【００２３】
まず空気調和機の室外機２内に設けられた上限周波数設定手段３で上限周波数が設定されると、制御部４に上限周波数が記憶され、制御部４が上限周波数設定中であることを知らせるために表示手段８へ表示信号を送信し、リモコン７から室内機６を操作すると、室内機２から通信線３を介して、室外機２内の制御部４に運転信号が送信され、制御部４から、能力可変型圧縮機１を運転する。
【００２４】
以上のように本実施の形態においては、室外機２内に設けられた上限周波数設定手段３で上限周波数が設定されると、制御部４が表示手段８に上限周波数設定中であることを表示することができので、上限周波数を設定したことを知らせる事ができる。
【産業上の利用可能性】
【００２５】
以上のように、本発明にかかる空気調和機は、能力可変型圧縮機の周波数の上限値を設定することができ、運転周波数を低下することで省エネ効果をもたらすことができるので、能力可変型圧縮機を搭載する機器等の用途にも適用できる。
【符号の説明】
【００２６】
１  能力可変型圧縮機
２  室外機
３  上限周波数設定手段
４  制御部
５  通信線
６  室内機
７  リモコン
８  表示手段
【図１】
2011185556.tif 000003
【図２】
2011185556.tif 000004
【図３】
2011185556.tif 000005